(57)【要約】【課題】小型化に対応しつつ、雄端子のタブ状接続部に対してばね接点部が十分な接触荷重を確保して接続することができる雌端子を提供すること。【解決手段】雄端子５０のタブ状接続部５１が挿入される筒状部１１の一面１１ｂ側の板状の壁１１ｂｂをタブ状接続部５１が挿入される開口１１ａ側から筒内方に向けて折り返した折り曲げ部分１２ａと折り返し部分の先端１２ｂとの間に一面１１ｂに対向する対向面１１ｃ側に山なりに膨らみ部分１２ｃを設けて屈曲形成され、膨らみ部分１２ｃと対向面１１ｃの間で筒状部１１に挿入されたタブ状接続部５１を挟持することによってタブ状接続部５１に接続するばね接点部１２と、対向面１１ｃと膨らみ部分１２ｃとの間にタブ状接続部５１が挿入された場合、筒状部１１の内方に移動されるばね接点部１２の先端１２ｂが突き当てられるように一面１１ｂに凸となるように打ち出し成形された突き当て突起１３と、を有する。【選択図】図６
2019057453.tif 000002
【特許請求の範囲】
【請求項１】
雄端子のタブ状接続部が挿入される筒状部の一面側の板状の壁を前記タブ状接続部が挿入される開口側から筒内方に向けて折り返した折り曲げ部分と折り返し部分の先端との間に前記一面に対向する対向面側に山なりに膨らみ部分を設けて屈曲形成され、該膨らみ部分と前記対向面の間で前記筒状部に挿入された前記タブ状接続部を挟持することによって前記タブ状接続部に接続するばね接点部と、
前記対向面と前記膨らみ部分との間に前記タブ状接続部が挿入された場合、前記筒状部の内方に移動される前記ばね接点部の前記先端が突き当てられるように前記一面に凸となるように打ち出し成形された突き当て突起と、
を有する
ことを特徴とする雌端子。
【請求項２】
前記突き当て突起は、
前記一面から当該突き当て突起の頂点に向けて傾斜された面であり、前記ばね接点部の前記先端が突き当てられる突き当て傾斜面が形成されている
ことを特徴とする請求項１に記載の雌端子。
【発明の詳細な説明】
【技術分野】
【０００１】
本発明は、雄端子のタブ状接続部に接続されるばね接点部を有する雌端子に関する。
【背景技術】
【０００２】
従来、板状の金属部材を抜き打ち加工、および、曲げ加工を施すことによって成形される雌端子は、雄端子のタブ状接続部が挿入される筒状部内にタブ状接続部が挿入される開口側から筒内方に向けて折り返して形成されたばね接点部が設けられている。
このようなばね接点部は、雄端子のタブ状接続部との十分な接触荷重を確保することが接続信頼性において重要である。
【０００３】
例えば、特許文献１には、雌端子の嵌合部（筒状部）内にタブ部（タブ状接続部）にばね接点（ばね接点部）の端部の移動を規制するストッパ部を設けることによって、小型化に対応しつつ、タブ部とばね接点との十分な接触荷重を保つようにした端子構造が記載されている。
【先行技術文献】
【特許文献】
【０００４】
【特許文献１】特開２００３−４５５３６号公報
【発明の概要】
【発明が解決しようとする課題】
【０００５】
しかしながら、特許文献１に記載の雌端子は、ストッパ部が嵌合部の底部の板状壁を切り起こして設けたものであるため、ばね接点の端部が当接された場合に弾性的に変形され易く、結果的に、十分な接触荷重を保つことが難しくなるという問題があった。
【０００６】
本発明は、上記に鑑みてなされたものであって、小型化に対応しつつ、雄端子のタブ状接続部に対してばね接点部が十分な接触荷重を確保して接続することができる雌端子を提供することを目的とする。
【課題を解決するための手段】
【０００７】
上述した課題を解決し、目的を達成するために、本発明の請求項１に係る雌端子は、雄端子のタブ状接続部が挿入される筒状部の一面側の板状の壁を前記タブ状接続部が挿入される開口側から筒内方に向けて折り返した折り曲げ部分と折り返し部分の先端との間に前記一面に対向する対向面側に山なりに膨らみ部分を設けて屈曲形成され、該膨らみ部分と前記対向面の間で前記筒状部に挿入された前記タブ状接続部を挟持することによって前記タブ状接続部に接続するばね接点部と、前記対向面と前記膨らみ部分との間に前記タブ状接続部が挿入された場合、前記筒状部の内方に移動される前記ばね接点部の前記先端が突き当てられるように前記一面に凸となるように打ち出し成形された突き当て突起と、を有することを特徴とする。
【０００８】
また、本発明の請求項２に係る雌端子は、上記の発明において、前記突き当て突起が、前記一面から当該突き当て突起の頂点に向けて傾斜された面であり、前記ばね接点部の前記先端が突き当てられる突き当て傾斜面が形成されていることを特徴とする。
【発明の効果】
【０００９】
本発明に係る雌端子は、前記筒状部の前記対向面と前記ばね接点部の前記膨らみ部分との間に前記雄端子の前記タブ状接続部が挿入されることによって、前記タブ状接続部が前記膨らみ部分を前記筒状部の前記一面側に押圧するため、前記膨らみ部分と前記一面との間の空間を狭めるように前記ばね接点部が弾性変形され、前記ばね接点部の前記先端が前記筒状部の内方に移動されることによって、前記突き当て突起に突き当てられる。
これにより、本発明に係る雌端子は、前記ばね接点部の前記先端が前記突き当て突起によって突き当てられて固定された状態となり、前記タブ状接続部が前記ばね接点部の前記膨らみ部分を押圧する力が打ち出し成形によって変形され難い前記突き当て突起から反力となって前記タブ状接続部との大きな接触荷重として作用される。
しかも、本発明に係る雌端子は、前記突き当て突起が、前記一面側の板状の壁を打ち出し成形することによって成形されているので、小型化に対応することができる。
従って、本発明に係る雌端子は、小型化に対応しつつ、雄端子のタブ状接続部に対してばね接点部が十分な接触荷重を確保して接続することができる。
【図面の簡単な説明】
【００１０】
【図１】図１は、（ａ）が本発明の実施例に係る雌端子の断面図であり、（ｂ）が（ａ）に示した雌端子のばね接点部周辺の拡大図である。
【図２】図２は、雌端子が収容されるコネクタハウジングの斜視図である。
【図３】図３は、図１に示した雌端子がコネクタハウジングに収容されたコネクタの断面図である。
【図４】図４は、雄端子のタブ状接続部が雌端子のばね接点部に接続された状態を示したコネクタの断面図である。
【図５】図５は、突き当て突起の突き当て傾斜面の傾斜角度が、ばね接点部の先端が突き当て突起をのり越えて応力を開放するように調整されていることを説明するための図である。
【図６】図６は、コネクタハウジングの端子収容室に雌端子が収容された状態のコネクタの断面図であり、（ａ）が雄端子が雌端子に接続される前の状態を示した図であり、（ｂ）が雄端子が雌端子に接続された状態を示した図である。
【発明を実施するための形態】
【００１１】
以下、図面を参照して、本発明に係る雌端子の好適な実施例を詳細に説明する。
【実施例】
【００１２】
図１は、（ａ）が本発明の実施例に係る雌端子１の断面図であり、（ｂ）が（ａ）に示した雌端子１のばね接点部１２周辺の拡大図である。図２は、雌端子１が収容されるコネクタハウジング１１０の斜視図である。図３は、図１に示した雌端子１がコネクタハウジング１１０に収容されたコネクタ１００の断面図である。図４は、雄端子５０のタブ状接続部５１が雌端子１のばね接点部１２に接続された状態を示したコネクタ１００の断面図である。図５は、突き当て突起１３の突き当て傾斜面１３ａの傾斜角度が、ばね接点部１２の先端１２ｂが突き当て突起１３をのり越えて応力を開放するように調整されていることを説明するための図である。
本発明の実施例に係る雌端子１は、図１に示すように、雄端子５０のタブ状接続部５１が挿入される筒状部１１内にタブ状接続部５１が接続されるばね接点部１２が設けられている。
【００１３】
この雌端子１は、電線６０の端末部に取り付けられ、図２に示すような、コネクタハウジング１１０の端子収容室１１１内に収容されることによって、コネクタ１００の端子部分として機能するものである。
【００１４】
雌端子１は、板状の金属部材に抜き打ち加工、および、曲げ加工を施すことによって成形され、雄端子５０と接続される部分となる相手端子接続部１０と、電線６０の端末部に接続される部分となる電線接続部２０と、相手端子接続部１０と電線接続部２０とを連結する連結部３０と、を有する。
【００１５】
相手端子接続部１０は、前端面に雄端子５０のタブ状接続部５１が挿入される開口１１ａが形成された筒状部１１と、ばね接点部１２と、ばね接点部１２の先端１２ｂが突き当てられる突き当て突起１３と、を有する。
【００１６】
筒状部１１は、板状の金属部材が折り曲げられることによって４つの面が形成された角筒形状をなしている。
【００１７】
ばね接点部１２は、筒状部１１の一面１１ｂ側の板状の壁１１ｂｂをタブ状接続部５１が挿入される開口１１ａ側から筒内方に向けて折り返して設けられている。
このばね接点部１２は、折り曲げ部分１２ａと折り返し部分の先端１２ｂとの間に一面１１ｂに対向する対向面１１ｃ側に山なりに膨らみ部分１２ｃを設けて屈曲形成され、膨らみ部分１２ｃと対向面１１ｃの間で筒状部１１に挿入されたタブ状接続部５１を挟持することによってタブ状接続部５１に接続するようになっている。
【００１８】
突き当て突起１３は、筒状部１１の対向面１１ｃとばね接点部１２の膨らみ部分１２ｃとの間にタブ状接続部５１が挿入された場合、筒状部１１の内方に移動されるばね接点部１２の先端１２ｂが突き当てられるように一面１１ｂに凸となるように打ち出し成形された部分である。
この突き当て突起１３は、打ち出し成形されているので一面１１ｂ側の板状の壁を切り起こして凸部を形成する場合に比して変形され難いようになっている。
【００１９】
また、突き当て突起１３は、一面１１ｂから突き当て突起１３の頂点に向けて傾斜された面であり、ばね接点部１２の先端１２ｂが突き当てられる突き当て傾斜面１３ａが形成されている。
突き当て傾斜面１３ａは、傾斜角度Ｒ（図５参照）が、ばね接点部１２を変形させるような想定を超える過大な荷重をかけてばね接点部１２の先端１２ｂが突き当て突起１３に突き当てられた場合、先端１２ｂが突き当て突起１３をのり越えてばね接点部１２にかかる応力を開放するように調整されている。
【００２０】
この突き当て傾斜面１３ａの傾斜角度Ｒは、例えば、雌端子１がＳｎめっきを施され、接触荷重が１Ｎを超えた場合を想定し、５５度とする。
【００２１】
電線接続部２０は、電線６０の先端部の絶縁被覆６２が除去されて露出された導体部６１に加締められる導体加締め部２１と、導体部６１が絶縁被覆６２によって包囲された部分に加締められる被覆加締め部２２と、を有する。
【００２２】
連結部３０は、底壁３１と、底壁３１の両端縁に立設された一対の側壁３２、３２と、を有し、底壁３１に向かい合う部分が端子収容室１１１内に設けられた弾性係止片１１１ａによって係止される係止孔３３になっている。
【００２３】
次に、図６を用いて、端子収容室１１１に収容された雌端子１に雄端子５０が接続される様子を突き当て突起１３の作用を含めて説明する。
図６は、コネクタハウジング１１０の端子収容室１１１に雌端子１が収容された状態のコネクタ１００の断面図であり、（ａ）が雄端子５０が雌端子１に接続される前の状態を示した図であり、（ｂ）が雄端子５０が雌端子１に接続された状態を示した図である。
【００２４】
端子収容室１１１に収容された雌端子１は、雄端子５０と接続される前の状態では、ばね接点部１２が弾性変形されていない状態になっている（図６（ａ）参照）。
弾性変形されていないばね接点部１２は、先端１２ｂと突き当て突起１３との間に隙間が空いた状態になっている。
【００２５】
端子収容室１１１内に雄端子５０のタブ状接続部５１が挿入され、筒状部１１の対向面１１ｃとばね接点部１２の膨らみ部分１２ｃとの間にタブ状接続部５１が挿入されることによって、雄端子５０が雌端子１に接続完了される（図６（ｂ）参照）。
筒状部１１の対向面１１ｃとばね接点部１２の膨らみ部分１２ｃとの間にタブ状接続部５１が挿入されると、タブ状接続部５１がばね接点部１２の膨らみ部分１２ｃを筒状部１１の一面１１ｂ側に押圧するため、膨らみ部分１２ｃと一面１１ｂとの間の空間を狭めるようにばね接点部１２が弾性変形される。
ばね接点部１２が膨らみ部分１２ｃと一面１１ｂとの間の空間を狭めるように弾性変形されると、ばね接点部１２の先端１２ｂが筒状部１１の内方に移動されることによって、突き当て突起１３に突き当てられる。
このようにして、ばね接点部１２の先端１２ｂが突き当て突起１３によって突き当てられて固定された状態では、タブ状接続部５１がばね接点部１２の膨らみ部分１２ｃを押圧する力が反力となってタブ状接続部５１との大きな接触荷重として作用される。
【００２６】
なお、ばね接点部１２を変形させるような想定を超える過大な荷重をかけてばね接点部１２の先端１２ｂが突き当て突起１３に突き当てられた場合、図５に示すように、ばね接点部１２の先端１２ｂが突き当て突起１３の突き当て傾斜面１３ａに沿って突き当て突起１３をのり越えるように移動されることによって、ばね接点部１２にかかる応力を開放するようになっている。
【００２７】
本発明の実施例に係る雌端子１は、筒状部１１の対向面１１ｃとばね接点部１２の膨らみ部分１２ｃとの間に雄端子５０のタブ状接続部５１が挿入されることによって、タブ状接続部５１が膨らみ部分１２ｃを筒状部１１の一面１１ｂ側に押圧するため、膨らみ部分１２ｃと一面１１ｂとの間の空間を狭めるようにばね接点部１２が弾性変形され、ばね接点部１２の先端１２ｂが筒状部１１の内方に移動されることによって、突き当て突起１３に突き当てられる。
これにより、本発明の実施例に係る雌端子１は、ばね接点部１２の先端１２ｂが突き当て突起１３によって突き当てられて固定された状態となり、タブ状接続部５１がばね接点部１２の膨らみ部分１２ｃを押圧する力が打ち出し成形によって変形され難い突き当て突起１３から反力となってタブ状接続部５１との大きな接触荷重として作用される。
しかも、本発明の実施例に係る雌端子１は、突き当て突起１３が、一面１１ｂ側の板状の壁１１ｂｂを打ち出し成形することによって成形されているので、小型化に対応することができる。
従って、本発明の実施例に係る雌端子１は、小型化に対応しつつ、雄端子５０のタブ状接続部５１に対してばね接点部１２が十分な接触荷重を確保して接続することができる。
【００２８】
また、本発明の実施例に係る雌端子１は、突き当て突起１３が、筒状部１１の一面１１ｂから突き当て突起１３の頂点に向けて傾斜された面であり、ばね接点部１２の先端１２ｂが突き当てられる突き当て傾斜面１３ａが形成されているので、突き当て傾斜面１３ａの傾斜角度を調整することによって、ばね接点部１２を変形させるような想定を超える過大な荷重をかけてばね接点部１２の先端１２ｂが突き当て突起１３に突き当てられた場合であっても、先端１２ｂが突き当て突起１３をのり越えてばね接点部１２にかかる応力を開放することができる。
【００２９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３０】
１        雌端子
１０      端子接続部
１１      筒状部
１１ａ    開口
１１ｂ    一面
１１ｂｂ    壁
１１ｃ    対向面
１２      ばね接点部
１２ａ    折り曲げ部分
１２ｂ    先端
１２ｃ    膨らみ部分
１３      突き当て突起
１３ａ    突き当て傾斜面
２０      電線接続部
２１      導体加締め部
２２      被覆加締め部
３０      連結部
３１      底壁
３２      側壁
３３      係止孔
５０      雄端子
５１      タブ状接続部
６０      電線
６１      導体部
６２      絶縁被覆
１００    コネクタ
１１０    コネクタハウジング
１１１    端子収容室
１１１ａ    弾性係止片
【図１】
2019057453.tif 000003
【図２】
2019057453.tif 000004
【図３】
2019057453.tif 000005
【図４】
2019057453.tif 000006
【図５】
2019057453.tif 000007
【図６】
2019057453.tif 000008